(57)【要約】      （修正有）【課題】デザイン性を損なうことなく原稿搬送装置を回動可能に保持するヒンジ部を覆い、安全性を確保しつつスムーズに原稿搬送装置を回動させることができる画像読取装置を提供する。【解決手段】画像読取装置は、原稿読取台１３１を含む画像読取部１３０と、原稿読取台１３１の一端部に回動可能に保持される原稿搬送装置１４０と、原稿搬送装置１４０を回動可能に保持するヒンジ部１５０と、を備える。原稿搬送装置１４０は、カバー体を含み、カバー体は、第１カバー部１４１１と、第２カバー部１４１２とを有する。第２カバー部１４１２は、閉状態から開状態となるように原稿搬送装置１４０を回動させる際に、原稿搬送装置１４０の回動動作に連動して、第２カバー部１４１２の下端が、画像読取台１３１の一端部の外側に向けて回動するように構成されている。【選択図】図８
2018129580.tif 000002
【特許請求の範囲】
【請求項１】
原稿読取面を有する原稿読取台を含み、前記原稿読取面に載置された原稿の画像を読み取る画像読取部と、
前記原稿読取台の一端部に回動可能に保持される原稿搬送装置と、
前記原稿読取面の上方に位置し前記原稿読取面に平行な第１回動軸回りに、前記原稿搬送装置を回動可能に保持する少なくとも１つ以上のヒンジ部と、を備え、
前記原稿搬送装置は、前記少なくとも１つ以上のヒンジ部を覆うカバー体を含み、
前記カバー体は、前記少なくとも１つ以上のヒンジ部を上方から覆う第１カバー部と、前記原稿読取台の前記一端部が位置する側から前記少なくとも１つ以上のヒンジ部を覆う少なくとも１つ以上の第２カバー部とを有し、
前記第２カバー部は、前記カバー体の下端の少なくとも一部を構成するように、前記第１回動軸に平行な第２回動軸回りに回動可能に前記第１カバー部に取り付けられ、
前記第２カバー部は、閉状態から開状態となるように前記原稿搬送装置を回動させる際に、前記原稿搬送装置の回動動作に連動して、前記第２カバー部の下端が前記原稿読取台の前記一端部の外側に向けて回動するように構成されている、画像読取装置。
【請求項２】
前記第２カバー部は、内側表面と、当該内側表面から前記カバー体の内側に向けて突出する突出部とを有し、
前記ヒンジ部または前記画像読取部は、前記第２カバー部の内側に配置されかつ前記原稿搬送装置が閉状態から開状態となるように前記原稿搬送装置を回動させる際に、前記突出部が摺動する被摺動部を含み、
前記突出部の移動が前記被摺動部によって案内されることにより、前記第２カバー部の下端が前記原稿読取台の前記一端部の外側に向けて回動する、請求項１に記載の画像読取装置。
【請求項３】
前記少なくとも１つ以上のヒンジ部は、２つの前記ヒンジ部を含み、
前記少なくとも１つ以上の第２カバー部は、２つの前記第２カバー部を含み、
２つの前記第２カバー部の各々は、２つの前記ヒンジ部のそれぞれに対応して配置されている、請求項１または２に記載の画像読取装置。
【請求項４】
前記カバー体は、前記画像読取装置の前記一端部側において、前記第１回動軸に平行な方向に沿って延在し、
前記カバー体の延在方向を前記カバー体の幅方向とした場合に、前記少なくとも１つ以上の第２カバー部は、前記カバー体の幅の大部分または全範囲を占めるように設けられている、請求項１から３のいずれか１項に記載の画像読取装置。
【請求項５】
前記第２カバー部の外側表面は、平坦であり、
前記原稿搬送装置が閉状態である場合に、前記第２カバー部の前記外側表面は、前記画像読取部の前記一端部側における側面と同一平面状に位置する、請求項１から４のいずれか１項に記載の画像読取装置。
【請求項６】
前記第１カバー部の色と、前記第２カバー部の色とが同じである、請求項１から５のいずれか１項に記載の画像読取装置。
【請求項７】
前記ヒンジ部は、前記原稿読取台に固定される固定部と、前記原稿搬送装置を保持する保持部と、先端および基端を有し、かつ、前記固定部および前記保持部を連結する連結アーム部と、を含み、
前記連結アーム部の基端側は、前記第１回動軸回りに回動可能に前記固定部に取り付けられ、
前記保持部は、前記第１回動軸に平行な第３回動軸回りに回動可能に前記連結アーム部の先端側に取り付けられている、請求項１から６のいずれか１項に記載の画像読取装置。
【請求項８】
請求項１から７のいずれか１項に記載の画像読取装置と、
前記画像読取装置により読み取られた原稿の画像を形成する画像形成部と、を備えた画象形成装置。
【発明の詳細な説明】
【技術分野】
【０００１】
本発明は、原稿搬送装置を備えた画像読取装置および画像形成装置に関する。
【背景技術】
【０００２】
従来の画像形成装置が開示された文献として、たとえば特開２００６−１１８６１３号公報（特許文献１）が挙げられる。
【０００３】
特許文献１に開示の画像形成装置にあっては、原稿搬送装置が、ヒンジ部によって、原稿読取台に対して伏臥した状態と起立した状態とに切替可能に原稿読取台に取り付けられている。ヒンジ部は、２つの回動軸を有し、原稿搬送装置の回動移動に応じて２つの回動軸がそれぞれ移動することにより、原稿搬送装置の下端側が原稿読取台に干渉しないように構成されている。
【０００４】
具体的には、ヒンジ部は、原稿読取台に固定された固定部と、原稿搬送装置を支持する支持部と、支持部に設けられ、原稿読取台が通過する変位軌跡面に直交する直交方向に沿って延びる支持部側回動軸と、固定部に設けられ上記直交方向に沿って延びる固定部側回動軸とを備える。
【０００５】
固定部には支持部側回動軸の移動を案内する固定部側案内部が形成されており、支持部には固定部側回動軸の移動を案内する支持部側案内部が形成されている。固定部側案内部は、原稿搬送装置が伏臥した状態から起立した姿勢に変位するにつれて、原稿読取台から離れる方向に支持部側回動軸を案内する。支持部側案内部は、原稿搬送装置が伏臥した状態から起立した姿勢に変位するにつれて、支持部側回動軸に近づけるように固定部側回動軸を案内する。
【０００６】
上記のように、原稿読取台から離れる方向に支持部側回動軸が案内されることにより、原稿搬送装置が原稿読取台から離間する。これにより、原稿搬送装置のうちヒンジ部によって連結された一端側の下端が原稿読取台に干渉することを防止できる。また、原稿搬送装置が原稿読取台から離間することにより、原稿搬送装置の一端に切り欠き部分を設ける必要がなくなるため、デザイン性の向上を図ることができる。
【先行技術文献】
【特許文献】
【０００７】
【特許文献１】特開２００６−１１８６１３号公報
【発明の概要】
【発明が解決しようとする課題】
【０００８】
しかしながら、特許文献１に開示の画像形成装置にあっては、固定部側回動軸が支持部側案内部によって移動し、支持部側回動軸が固定部側案内部によって移動する構成であるため、２つの回動軸のそれぞれを移動させる必要が生じる。このため、２つの回動軸の各々の移動状態の如何によっては、原稿搬送装置をスムーズに回動できない場合が起こり得る。
【０００９】
また、原稿搬送装置が伏臥した状態から起立した状態に変位する際には、ヒンジ部によって連結された原稿搬送装置の一端側の下端が上昇しつつ、当該一端側が原稿読取台の内側に向けて移動するように原稿搬送装置が回動する。
【００１０】
原稿装置の一端側の下端が上昇することにより、当該下端と原稿読取台との間に隙間が形成される。そして、当該一端側が原稿読取台の内側に向けて移動するように原稿搬送装置が回動することにより、上記一端側における原稿装置の側面が、原稿読取台に近づく。
【００１１】
このため、上記の隙間に使用者の指が入った場合には、原稿読取台と上記一端側における原稿装置の側面とによって指が挟まれる場合が起こり得る。このように、特許文献１に開示の画像形成装置においては、安全性が十分に確保されているとは言えない。
【００１２】
上記隙間に指が入ることを防止するために、原稿搬送装置とは別体で、当該隙間を一端側から覆うカバー部材を設けることが考えられる。しかしながら、この場合には、別途新たにカバー部材を設けることで、デザイン性が損なわれてしまう。
【００１３】
本発明は、上記のような問題に鑑みてなされたものであり、本発明の目的は、デザイン性を損なうことなく原稿搬送装置を回動可能に保持するヒンジ部を覆い、安全性を確保しつつスムーズに原稿搬送装置を回動させることができる画像読取装置および画像形成装置を提供することにある。
【課題を解決するための手段】
【００１４】
本発明に基づく画像読取装置は、原稿読取面を有する原稿読取台を含み、上記原稿読取面に載置された原稿の画像を読み取る画像読取部と、上記原稿読取台の一端部に回動可能に保持される原稿搬送装置と、上記原稿読取面の上方に位置し上記原稿読取面に平行な第１回動軸回りに、上記原稿搬送装置を回動可能に保持する少なくとも１つ以上のヒンジ部と、を備え、上記原稿搬送装置は、上記少なくとも１つ以上のヒンジ部を覆うカバー体を含み、上記カバー体は、上記少なくとも１つ以上のヒンジ部を上方から覆う第１カバー部と、上記原稿読取台の上記一端部が位置する側から上記少なくとも１つ以上のヒンジ部を覆う少なくとも１つ以上の第２カバー部とを有し、上記第２カバー部は、上記カバー体の下端の少なくとも一部を構成するように、上記第１回動軸に平行な第２回動軸回りに回動可能に上記第１カバー部に取り付けられ、上記第２カバー部は、上記原稿搬送装置が閉状態から開状態となるように上記原稿搬送装置を回動させる際に、上記原稿搬送装置の回動動作に連動して、上記第２カバー部の下端が上記原稿読取台の上記一端部の外側に向けて回動するように構成されている。
【００１５】
上記本発明に基づく画像読取装置にあっては、上記第２カバー部は、内側表面と、当該内側表面から上記カバー体の内側に向けて突出する突出部とを有することが好ましい。また、上記ヒンジ部または上記画像読取部は、上記第２カバー部の内側に配置されかつ上記原稿搬送装置が閉状態から開状態となるように上記原稿搬送装置を回動させる際に、上記突出部が摺動する被摺動部を含むことが好ましい。この場合には、上記突出部の移動が上記被摺動部によって案内されることにより、上記第２カバー部の下端が上記原稿読取台の上記一端部の外側に向けて回動することが好ましい。
【００１６】
上記本発明に基づく画像読取装置にあっては、上記少なくとも１つ以上のヒンジ部は、２つの上記ヒンジ部を含むことが好ましい。この場合には、上記少なくとも１つ以上の第２カバー部は、２つの上記第２カバー部を含み、２つの上記第２カバー部の各々は、２つの上記ヒンジ部のそれぞれに対応して配置されていることが好ましい。
【００１７】
上記本発明に基づく画像読取装置にあっては、上記カバー体は、上記画像読取装置の上記一端部側において、上記第１回動軸に平行な方向に沿って延在することが好ましく、上記カバー体の延在方向を上記カバー体の幅方向とした場合に、上記少なくとも１つ以上の第２カバー部は、上記カバー体の幅の大部分または全範囲を占めるように設けられていることが好ましい。
【００１８】
上記本発明に基づく画像読取装置にあっては、上記第２カバー部の外側表面は、平坦であることが好ましい。この場合には、上記原稿搬送装置が閉状態である場合に、上記第２カバー部の上記外側表面は、上記画像読取部の上記一端部側における側面と同一平面状に位置することが好ましい。
【００１９】
上記本発明に基づく画像読取装置にあっては、上記第１カバー部の色と、上記第２カバー部の色とが同じであることが好ましい。
【００２０】
上記本発明に基づく画像読取装置にあっては、上記ヒンジ部は、上記原稿読取台に固定される固定部と、上記原稿搬送装置を保持する保持部と、先端および基端を有し、かつ、上記固定部および上記保持部を連結する連結アーム部と、を含んでいてもよい。この場合には、上記連結アーム部の基端側は、上記第１回動軸に平行な第３回動軸回りに回動可能に上記固定部に取り付けられることが好ましく、上記保持部は、上記第１回動軸に平行な第３回動軸回りに回動可能に上記連結アーム部の上記先端側に取り付けられていることが好ましい。
【００２１】
本発明に基づく画像形成装置は、上記の画像読取装置と、上記画像読取装置により読み取られた原稿の画像を形成する画像形成部と、を備える。
【発明の効果】
【００２２】
本発明によれば、デザイン性を損なうことなく原稿搬送装置を回動可能に保持するヒンジ部を覆い、安全性を確保しつつスムーズに原稿搬送装置を回動させることができる画像読取装置および画像形成装置を提供することができる。
【図面の簡単な説明】
【００２３】
【図１】実施の形態１に係る画像形成装置の斜視図である。
【図２】実施の形態１に係る画像形成装置の構成を示す概略図である。
【図３】実施の形態１に係る画像読取装置の背面側を示す斜視図である。
【図４】実施の形態１に係る画像読取装置において、第１カバー部から第２カバー部を外した状態を示す斜視図である。
【図５】実施の形態１に係る画像読取装置におけるヒンジ部の周囲の構造を示す断面図である。
【図６】実施の形態１に係る画像形成装置において原稿搬送装置が閉じた状態を示す概略図である。
【図７】実施の形態１に係る画像形成装置において原稿搬送装置が閉じた状態から開いた状態となるように原稿搬送装置を回動させている状態の第１状態を示す概略図である。
【図８】実施の形態１に係る画像形成装置において原稿搬送装置が閉じた状態から開いた状態となるように原稿搬送装置を回動させている状態の第２状態を示す概略図である。
【図９】比較例に係る画像形成装置において原稿搬送装置が閉じた状態を示す概略図である。
【図１０】比較例に係る画像形成装置において原稿搬送装置が閉じた状態から開いた状態となるように原稿搬送装置を回動させている状態の第１状態を示す概略図である。
【図１１】実施の形態２に係る画像形成装置における原稿搬送装置の背面側を示す斜視図である。
【図１２】実施の形態３に係る画像形成装置に具備される画像読取装置におけるヒンジ部の周囲の構造を示す断面図である。
【図１３】実施の形態３に係るヒンジ部の第１状態を示す図である。
【図１４】実施の形態３に係るヒンジ部の第２状態を示す図である。
【図１５】実施の形態４に係る画像形成装置において原稿搬送装置が閉じた状態を示す概略図である。
【図１６】実施の形態４に係る画像形成装置において原稿搬送装置が閉じた状態から開いた状態となるように原稿搬送装置を回動させている状態の第１状態を示す概略図である。
【図１７】実施の形態４に係る画像形成装置において原稿搬送装置が閉じた状態から開いた状態となるように原稿搬送装置を回動させている状態の第２状態を示す概略図である。
【発明を実施するための形態】
【００２４】
以下、本発明の実施の形態について、図を参照して詳細に説明する。なお、以下に示す実施の形態においては、同一のまたは共通する部分について図中同一の符号を付し、その説明は繰り返さない。図中に示す矢印Ｕ，Ｄは、上下方向を示し、矢印Ｌ，Ｒは画像形成装置１００の左右方向を示し、矢印Ｆｒ，Ｒｅは画像形成装置の前後方向を示す。
【００２５】
（実施の形態１）
（画像形成装置）
図１は、実施の形態１に係る画像形成装置の斜視図である。図２は、実施の形態１に係る画像形成装置の構成を示す概略図である。図１および図２を参照して、実施の形態１に係る画像形成装置１００について説明する。
【００２６】
図１および図２に示すように、画像形成装置１００は、略直方体形状を有する。画像形成装置１００は、上下方向の途中部に、前面および右側側面の一部が切り欠かれた切欠部を有する。当該切欠部には、画像形成部１１０によって形成された画像が印刷された記録媒体が排出される後述のトレイ４８が配置される。
【００２７】
画像形成装置１００は、画像を形成する画像形成部１１０と、原稿の画像を読み取る画像読取装置１２０と、を備える。画像形成部１１０は、画像形成装置１００の下部側を構成し、画像読取装置１２０は、画像形成装置１００の上部側を構成する。
【００２８】
（画像形成部）
画像形成部１１０は、後述の制御部６０からの制御信号に基づいて画像を形成する。また、画像形成部１１０は、画像読取装置１２０により読み取られた原稿の画像を形成する。
【００２９】
画像形成部１１０は、操作パネル１１１を含む。操作パネル１１１は、画像形成装置１００の前面の一部を構成する。操作パネル１１１は、タッチセンサと一体化した表示部によって構成されている。操作パネル１１１は、タッチセンサによって入力された情報を後述の制御部６０（図２参照）に入力する。
【００３０】
図２に示すように、画像形成部１１０は、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着装置５０と、制御部６０と、クリーニング装置９０とを含む。
【００３１】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００３２】
画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００３３】
帯電装置１１は、感光体１０の表面を一様に帯電する。露光装置１２は、制御部６０からの制御信号に応じて感光体１０にレーザー光を照射し、入力された画像パターンに従って感光体１０の表面を露光する。これにより、入力画像に応じた静電潜像が感光体１０上に形成される。
【００３４】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００３５】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。
【００３６】
イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００３７】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００３８】
クリーニング装置１７は、感光体１０に圧接されている。クリーニング装置１７は、トナー像の転写後に感光体１０の表面に残留するトナーを回収する。
【００３９】
カセット３７には、用紙Ｓがセットされる。用紙Ｓは、カセット３７から１枚ずつタイミングローラー４０によって搬送経路４１に沿って二次転写ローラー３３に送られる。
【００４０】
二次転写ローラー３３は、ローラー形状を有し、回転可能に構成される。二次転写ローラー３３は、トナー像と反対極性の転写電圧を搬送中の用紙Ｓに印加する。これにより、トナー像は、中間転写ベルト３０から二次転写ローラー３３に引き付けられ、中間転写ベルト３０上のトナー像が転写される。
【００４１】
一方、中間転写ベルト３０上の残留トナーは、クリーニング装置９０によって除去される。クリーニング装置９０は、転写ベルトクリーナー９１および廃トナーボックス９２を有する。上記残留トナーは、転写ベルトクリーナー９１で回収され、廃トナーボックス９２に蓄えられる。
【００４２】
二次転写ローラー３３への用紙Ｓの搬送タイミングは、中間転写ベルト３０上のトナー像の位置に合わせてタイミングローラー４０によって調整される。タイミングローラー４０により、中間転写ベルト３０上のトナー像は、用紙Ｓの適切な位置に転写される。
【００４３】
定着装置５０は、自身を通過する用紙Ｓを加圧および加熱する。これにより、トナー像は用紙Ｓに定着する。その後、用紙Ｓは、トレイ４８に排紙される。
【００４４】
（画像読取装置）
画像読取装置１２０は、画像読取部１３０、原稿搬送装置１４０、および後述する複数のヒンジ部１５０（図４参照）を含む。
【００４５】
画像読取部１３０は、原稿読取台１３１を含む。原稿読取台１３１は、上面に原稿読取領域１３２，１３３を有する。原稿読取台の上面のうちこれら原稿読取領域１３２，１３３に該当する部分は、原稿読取面に相当する。
【００４６】
原稿読取領域１３２においては、原稿搬送装置１４０によって搬送される原稿の画像を読み取る。原稿読取領域１３３においては、原稿読取台１３１に載置された原稿の画像を読み取る。
【００４７】
原稿搬送装置１４０は、原稿読取台１３１の一端部に回動可能に保持される。具体的には、原稿搬送装置１４０は、原稿読取台１３１の後端部に回動可能に保持される。原稿搬送装置１４０は、カバー体１４１と、搬送経路１４２と、複数の搬送ローラー１４３と、供給トレイ１４４と、排出トレイ１４５と、原稿押え部１４６とを有する。
【００４８】
カバー体１４１は、原稿搬送装置１４０の右側部分において搬送経路１４２を収容し、原稿搬送装置１４０の後部側において、複数のヒンジ部１５０を覆う。カバー体１４１の内部に設けられた搬送経路１４２は、画像読取部１３０によって原稿の画像が読み取られる読取位置（原稿読取領域１３２）を経由するように原稿を搬送する。搬送経路１４２は、供給トレイ１４４から供給された原稿が原稿読取領域１３２を経由して排出トレイ１４５に排出されるように設けられている。
【００４９】
複数の搬送ローラー１４３は、搬送経路１４２に沿って、カバー体１４１の内部に配置されている。
【００５０】
供給トレイ１４４および排出トレイ１４５は、原稿搬送装置１４０の左側部分を構成する。供給トレイ１４４および排出トレイ１４５は、カバー体１４１の外側に設けられている。
【００５１】
供給トレイ１４４は、搬送経路１４２に原稿を供給するためのトレイである。排出トレイ１４５は、搬送経路１４２から排出された原稿を受ける。排出トレイ１４５は、供給トレイ１４４に上下方向に重なるように設けられている。具体的には、排出トレイ１４５は、供給トレイ１４４の下方に位置する。
【００５２】
原稿押え部１４６は、原稿搬送装置１４０の下部を構成する。原稿押え部１４６は、板状形状を有する。原稿押え部１４６は、原稿読取台１３１に載置された原稿を上方側から押さえる。
【００５３】
原稿押え部１４６は、ヒンジ部１５０によって、原稿読取台１３１に回動可能に取付けられている。ヒンジ部１５０は、原稿読取面の上方に位置しかつ原稿読取面に平行な第１回動軸Ｓ１（図４参照）を有する。第１回動軸Ｓ１は、排出トレイ１４５における原稿の排出方向と平行である。具体的には、第１回動軸Ｓ１は、画像形成装置１００の左右方向に平行である。
【００５４】
原稿押え部１４６は、原稿読取台１３１の後端部に、第１回動軸Ｓ１回りに回動可能に取り付けられている。原稿押え部１４６が第１回動軸Ｓ１回りに回動することにより、原稿搬送装置１４０が全体的に、画像読取部１３０に対して回動する。これにより、原稿搬送装置１４０は、画像読取部１３０に対して閉じた状態（閉状態）と開いた状態（開状態）とに切替可能となる。
【００５５】
図３は、実施の形態１に係る画像読取装置の背面側を示す斜視図である。図４は、実施の形態１に係る画像読取装置において、第１カバー部から第２カバー部を外した状態を示す斜視図である。図３および図４を参照して、原稿搬送装置１４０のカバー体１４１の詳細な構成について説明する。
【００５６】
カバー体１４１は、画像読取装置１２０の一端部側において、上記第１回動軸Ｓ１に平行な方向に沿って延在する。具体的には、カバー体１４１は、画像読取装置１２０の後部側において、第１回動軸Ｓ１に平行な方向に沿って延在する。カバー体１４１は、画像読取装置の右部側において、上下方向および第１回動軸Ｓ１に平行な方向に直交する方向（前後方向）に延在する。
【００５７】
カバー体１４１は、第１カバー部１４１１、複数の第２カバー部１４１２、第３カバー部１４１３、および搬送カバー部１４１４を含む。
【００５８】
第１カバー部１４１１、および複数の第２カバー部１４１２は、カバー体１４１の後部側の部分を構成する。第１カバー部１４１１、および複数の第２カバー部１４１２は、複数のヒンジ部１５０を覆う。複数のヒンジ部１５０は、２つのヒンジ部１５０を含み、これら２つのヒンジ部１５０は、第１回動軸Ｓ１に平行な方向に並んで配置されている。
【００５９】
第１カバー部１４１１は、複数のヒンジ部１５０を上方から覆う。複数の第２カバー部１４１２は、原稿読取台１３１の上記一端部が位置する側から複数のヒンジ部１５０を覆う。具体的には、複数の第２カバー部１４１２は、後方側から複数のヒンジ部１５０を覆う。
【００６０】
複数の第２カバー部１４１２は、後述するように、上記第１回動軸に平行な第２回動軸Ｓ２（図５参照）回りに回動可能に第１カバー部に取り付けられている。第２回動軸Ｓ２は、第１回動軸Ｓ１よりも上方に位置する。複数の第２カバー部１４１２の各々は、２つの第２カバー部１４１２を含む。２つの第２カバー部１４１２の各々は、２つのヒンジ部１５０のそれぞれに対応して配置されている。
【００６１】
原稿読取台１３１の一端側におけるカバー体１４１の延在方向（具体的には左右方向）をカバー体１４１の幅方向とした場合に、２つの第２カバー部１４１２は、カバー体１４１の幅の大部分を占めるように設けられている。なお、２つの第２カバー部１４１２は、カバー体１４１の幅の全範囲を占めるに設けられていてもよい。
【００６２】
２つの第２カバー部１４１２のうち一方の第２カバー部１４１２は、上記幅方向におけるカバー体１４１の一方端部側から中央部にかけて設けられている。２つの第２カバー部１４１２のうち他方の第２カバー部１４１２は、上記幅方向におけるカバー体１４１の他方端部側から中央部にかけて設けられている。
【００６３】
第１カバー部１４１１の色と、第２カバー部１４１２の色とは、同じであってもよい。この場合には、外装色が統一されるため、デザイン性を向上させることができる。なお、第１カバー部１４１１の色と、第２カバー部１４１２の色とは異なっていてもよい。
【００６４】
第１カバー部１４１１の色、第３カバー部１４１３の色、および搬送カバー部１４１４の色は、同じであることが好ましい。この場合には、外装色が統一され、デザイン性を向上させることができる。なお、第１カバー部１４１１の色、第３カバー部１４１３の色、および搬送カバー部１４１４の色は、それぞれ異なっていてもよいし、いずれかのみが異なっていてもよい。
【００６５】
第３カバー部１４１３は、カバー体１４１の前方側の部分を構成する。搬送カバー部１４１４は、第１カバー部１４１１の右側部分と第３カバー部１４１３との間に配置されている。搬送カバー部１４１４は、前後方向を回動軸とする軸回りに回動可能に構成されている。当該回動軸は、搬送カバー部１４１４の下端側に設けられている。
【００６６】
なお、実施の形態１におけるカバー体１４１においては、第１カバー部１４１１、第３カバー部１４１３、および搬送カバー部１４１４がそれぞれ別体で設けられている場合を例示して説明したが、これに限定されず、第１カバー部１４１１と第２カバー部１４１２とが別体で構成される限り、第１カバー部１４１１、第３カバー部１４１３、および搬送カバー部１４１４が一体に設けられていてもよい。この場合には、搬送カバー部１４１４は回動不能に設けられていてもよい。
【００６７】
図５は、実施の形態１に係る画像読取装置において、ヒンジ部の周囲の構造を示す断面図である。図５を参照して、ヒンジ部１５０および第２カバー部１４１２について説明する。
【００６８】
図５に示すように、ヒンジ部１５０は、固定部１５１と、保持部１５３と、連結アーム部１５２とを含む。
【００６９】
固定部１５１は、原稿読取台１３１の後部側に固定されている。固定部１５１は、略Ｌ字形状を有する。固定部１５１は、土台部１５１１と、立ち上がり部１５１２と、被摺動部１５１３と、を有する。
【００７０】
土台部１５１１は、ヒンジ部１５０の下部を構成する。土台部１５１１の下面は、原稿読取面と平行となるように設けられている。立ち上がり部１５１２は、土台部１５１１の後方端部から上方に向けて延在する。
【００７１】
被摺動部１５１３は、立ち上がり部１５１２の後端から後方側に向けて突出する。被摺動部１５１３は、後述する第２カバー部１４１２の突出部１４１２ｃが摺動可能に設けられている。
【００７２】
保持部１５３は、原稿押え部１４６を保持し、これにより、原稿搬送装置１４０を保持する。連結アーム部１５２は、固定部１５１と保持部１５３とを連結する。連結アーム部１５２の基端側は、第１回動軸Ｓ１回りに回動可能に固定部１５１に取り付けられる。連結アーム部１５２の先端側は、保持部１５３に回動不能に固定されている。
【００７３】
連結アーム部１５２が第１回動軸Ｓ１回りに回動することにより、連結アーム部１５２に固定された保持部１５３が回動する。保持部１５３が回動することにより、保持部１５３に保持される原稿押え部１４６が第１回動軸Ｓ１回りに回動する。この結果、原稿搬送装置１４０が第１回動軸Ｓ１回りに回動する。
【００７４】
第２カバー部１４１２は、閉状態から開状態となるように原稿搬送装置１４０を回動させる際に、原稿搬送装置１４０の回動動作に連動して、第２カバー部１４１２の下端が原稿読取台１３１の一端部（後端部）の外側に向けて回動するように構成されている。
【００７５】
第２カバー部１４１２は、内側表面１４１２ａと、外側表面１４１２ｂと、突出部１４１２ｃとを有する。突出部１４１２ｃは、内側表面１４１２ａからカバー体１４１の内側に向けて突出する。
【００７６】
突出部１４１２ｃは、第１摺動面１４１２ｃ１および第２摺動面１４１２ｃ２を有する。第１摺動面１４１２ｃ１は、上方側から下方側に向うにつれてカバー体１４１の内側から上記原稿読取台１３１の一端部側に向かうように設けられている。第１摺動面１４１２ｃ１が被摺動部１５１３に摺動することにより、第２カバー部１４１２の下端が原稿読取台１３１の一端部の外側に向けて移動するように、第２カバー部１４１２が回動する。
【００７７】
第２摺動面１４１２ｃ２は、被摺動部１５１３に当接可能に構成されている。上記のように第２カバー部１４１２が回動した後に、第２摺動面１４１２ｃ２が被摺動部１５１３に当接することにより、第２カバー部１４１２の下端がカバー体１４１の内側に移動するように第２カバー部１４１２が回動することを防止できる。
【００７８】
図６は、実施の形態１に係る画像形成装置において原稿搬送装置が閉じた状態を示す概略図である。図７は、実施の形態１に係る画像形成装置において原稿搬送装置が閉じた状態から開いた状態となるように原稿搬送装置を回動させている状態の第１状態を示す概略図である。図８は、実施の形態１に係る画像形成装置において原稿搬送装置が閉じた状態から開いた状態となるように原稿搬送装置を回動させている状態の第２状態を示す概略図である。図６から図８を参照して、原稿搬送装置１４０の回動動作に連動する第２カバー部１４１２の動作について説明する。
【００７９】
図６に示すように、原稿搬送装置１４０が閉じた閉状態においては、ヒンジ部１５０の保持部１５３および連結アーム部１５２は、原稿読取面に平行に配置されている。これにより、原稿押え部１４６が原稿読取面に近接して平行に配置される。
【００８０】
第２カバー部１４１２の外側表面１４１２ｂは、原稿読取台１３１の一端部（後端部）の側面と同一平面状に位置している。これにより、閉状態において、第２カバー部１４１２が、原稿読取台１３１の外部にはみ出すことを防止でき、デザイン性を向上させることができる。
【００８１】
図７に示すように、原稿搬送装置が閉じた状態から開いた状態となるように原稿搬送装置を回動させている状態の第１状態においては、ヒンジ部１５０の連結アーム部１５２が第１回動軸Ｓ１回りに回動することにより、連結アーム部１５２に固定された保持部１５３が同様に回動する。これにより、原稿押え部１４６の前部側が原稿読取面から離間するように回動する。
【００８２】
原稿押え部１４６が回動することにより、原稿搬送装置１４０も回動する。この際、原稿搬送装置１４０の一端部側（後端部側）は、原稿読取面に近づくように回動する。これにより、第２カバー部１４１２も原稿読取面に近づくように移動する。
【００８３】
この際、第２カバー部１４１２の第１摺動面１４１２ｃ１がヒンジ部１５０の固定部１５１に設けられた被摺動部１５１３に当接する。原稿搬送装置１４０の前部側をさらに情報に向けて回動させることにより、上記第１摺動面１４１２ｃ１が被摺動部１５１３を摺動する。
【００８４】
第１摺動面１４１２ｃ１は、下方に向かうにつれて原稿読取台１３１の一端部側（後端部側）に向かうように設けられている。このため、第１摺動面１４１２ｃ１が被摺動部１５１３を摺動することにより、第２カバー部１４１２が後方に向かうように上記第２回動軸Ｓ２回りに回動する。すなわち、第２カバー部１４１２の下端が原稿読取台１３１の一端部（後端部）の外側に向けて回動する。
【００８５】
図８に示すように、原稿搬送装置１４０が閉じた状態から開いた状態となるように原稿搬送装置１４０を回動させている状態の第２状態においては、第１状態よりも、ヒンジ部１５０の連結アーム部１５２および保持部１５３の回動角が大きくなっている。
【００８６】
第２カバー部１４１２においては、第１摺動面１４１２ｃ１による被摺動部１５１３への摺動が終了し、第２摺動面１４１２ｃ２が被摺動部１５１３に摺動する。この状態にあっては、第２カバー部１４１２の下端は、原稿読取台１３１の一端部の外側に位置している。
【００８７】
第２摺動面１４１２ｃ２が被摺動部１５１３に摺動することにより、第２カバー部１４１２の下端がカバー体１４１の内側向けて回動軸Ｓ２回りに回動することを防止できる。これにより、第２カバー部１４１２の下端が原稿読取台１３１の一他部の外側に位置している状態を維持することができる。
【００８８】
このように、第２カバー部１４１２は、閉状態から開状態となるように原稿搬送装置１４０を回動させる際に、原稿搬送装置１４０の回動動作に連動して、第２カバー部１４１２の下端が原稿読取台１３１の一端部の外側に向けて回動するように構成されている。
【００８９】
これにより、原稿搬送装置１４０の回動動作に連動して第２カバー部１４１２の位置が下方に下がった場合であっても、第２カバー部１４１２の下端が原稿読取台１３１に干渉することを防止することができる。加えて、原稿搬送装置１４０を回動させる際には、ヒンジ部１５０を用いて第１回動軸Ｓ１回りに原稿搬送装置１４０を回動させるだけである。これにより、原稿読取台１３１に干渉することなく、原稿搬送装置１４０の回動動作をスムーズに行なうことができる。
【００９０】
また、カバー体１４１の第１カバー部１４１１および第２カバー部１４１２によってヒンジ部１５０が覆われる構成であり、ヒンジ部１５０を覆うための部材をカバー体１４１とは別に設けなくてよい。これにより、デザイン性が損なわれなくなる。
【００９１】
加えて、閉状態のみならず原稿搬送装置１４０の回動動作中においても、第２カバー部１４１２によってヒンジ部１５０が原稿搬送装置の一端部側から覆われた状態が維持される。また、回動角が大きくなるにつれて、第２カバー部１４１２の下端は、原稿読取台１３１の上面に干渉することなく下方側に移動する。
【００９２】
これにより、使用者の指が原稿搬送装置の一端部側から原稿読取台１３１の上面に進入することが防止され、回動動作中に使用者の指が、原稿読取台１３１と原稿搬送装置１４０とによって挟まれることを防止できる。この結果、安全性を確保することができる。
【００９３】
以上のように、実施の形態１に係る画像読取装置１２０およびこれを備えた画像形成装置にあっては、デザイン性を損なうことなく原稿搬送装置を回動可能に保持するヒンジ部を覆い、安全性を確保しつつスムーズに原稿搬送装置を回動させることができる。
【００９４】
（比較例）
図９は、比較例に係る画像形成装置において原稿搬送装置が閉じた状態を示す概略図である。図１０は、比較例に係る画像形成装置において原稿搬送装置が閉じた状態から開いた状態となるように原稿搬送装置を回動させている状態の第１状態を示す概略図である。図９および図１０を参照して、比較例に係る画像形成装置について説明する。
【００９５】
図９および図１０に示すように、比較例に係る画像形成装置は、実施の形態１に係る画像形成装置１００と比較した場合に、画像読取装置１２０Ｘの構成が相違する。その他の構成については、ほぼ同様である。
【００９６】
画像読取装置１２０Ｘは、実施の形態１に係る画像読取装置１２０と比較した場合に、第２カバー部１４１２が、閉状態から開状態となるように原稿搬送装置１４０を回動させる際に、原稿搬送装置１４０の回動動作に連動して、第２カバー部１４１２の下端が原稿読取台１３１の一端部の外側に向けて回動するように構成されていない点において相違する。
【００９７】
具体的には、ヒンジ部１５０は、実施の形態１における被摺動部１５１３を有しておらず、ヒンジ部１５０の固定部は、土台部１５１１と立ち上がり部１５１２とによって構成されている。第２カバー部１４１２は、実施の形態１における突出部１４１２ｃを有しておらず、平板形状を有する。
【００９８】
図９に示すように、原稿搬送装置１４０が閉じた閉状態においては、ヒンジ部１５０の保持部１５３および連結アーム部１５２は、原稿読取面に平行に配置されている。これにより、原稿押え部１４６が原稿読取面に近接して平行に配置される。
【００９９】
第２カバー部１４１２の外側表面１４１２ｂは、原稿読取台１３１の一端部（後端部）の側面と同一平面状に位置している。
【０１００】
図１０に示すように、原稿搬送装置が閉じた状態から開いた状態となるように原稿搬送装置を回動させている状態の第１状態においては、ヒンジ部１５０の連結アーム部１５２が第１回動軸Ｓ１回りに回動することにより、連結アーム部１５２に固定された保持部１５３が同様に回動する。これにより、原稿押え部１４６の前方側が原稿読取面から離間するように回動する。
【０１０１】
原稿押え部１４６が回動することにより、原稿搬送装置１４０も回動する。この際、原稿搬送装置１４０の一端部側（後端部側）は、原稿読取面に近づくように回動する。これにより、第２カバー部１４１２も原稿読取面に近づくように移動する。
【０１０２】
しかしながら、比較例においては、原稿搬送装置１４０の回動動作に連動して、第２カバー部１４１２の下端が原稿読取台１３１の一端部の外側に向けて回動するように構成されていないため、第２カバー部１４１２の下端が原稿読取台１３１の上面に突き当たる。これにより、原稿搬送装置１４０の回動が妨げられてしまう。
【０１０３】
第２カバー部１４１２と原稿読取台１３１との干渉を防止するためには、原稿読取台１３１の後部に切欠きを設ける必要が生じる。しかしながら、原稿読取台１３１に切欠きを設ける場合には、外観のデザイン性が損なわれてしまう。
【０１０４】
（実施の形態２）
図１１は、実施の形態２に係る画像形成装置における原稿搬送装置の背面側を示す斜視図である。図１１を参照して、実施の形態２に係る画像形成装置について説明する。
【０１０５】
図１１に示すように、実施の形態２に係る画像形成装置は、実施の形態１に係る画像形成装置１００と比較して、画像読取装置１２０Ａの構成が相違する。その他の構成については、ほぼ同様である。
【０１０６】
実施の形態２に係る画像読取装置１２０Ａは、実施の形態１に係る画像読取装置１２０と比較して、カバー体１４１が蓋部１６０を含む点において相違する。その他の構成は、ほぼ同様である。
【０１０７】
蓋部１６０は、供給トレイ１４４および排出トレイ１４５を覆った被覆状態と、供給トレイ１４４および排出トレイ１４５を覆わない非被覆状態とに切替可能に供給トレイ１４４および排出トレイ１４５を覆う。具体的には、蓋部１６０は、原稿搬送装置１４０の一端部（後端部）側にて、第１回動軸Ｓ１と平行な回動軸回りに回動可能に設けられている。
【０１０８】
蓋部１６０には、２つの第２カバー部１４１２のうち一方の第２カバー部１４１２が回動可能に取付けられている。
【０１０９】
蓋部１６０が有する色と、当該蓋部１６０に取り付けられる第２カバー部１４１２が有する色とは、同じであってもいいし、異なっていてもよい。蓋部１６０が有する色と、当該蓋部１６０に取り付けられる第２カバー部１４１２が有する色とが同じ場合には、外装色を統一することができ、デザイン性が向上する。
【０１１０】
蓋部１６０は、対向壁部１６１、上壁部１６２を少なくとも含む。具体的には、蓋部１６０は、対向壁部１６１、上壁部１６２、側壁部１６３、および取付部１６４を含む。
【０１１１】
対向壁部１６１は、蓋部１６０が供給トレイ１４４および排出トレイ１４５を覆った被覆状態において、原稿読取台１３１の一端部側とは反対側の他端部側に位置する供給トレイ１４４の端部および排出トレイ１４５の端部に対向する。すなわち、対向壁部１６１は、上記被覆状態において、供給トレイ１４４の前端および排出トレイ１４５の前端に対向する。対向壁部１６１は、上記被覆状態において、蓋部１６０の前側部分を構成する。
【０１１２】
上壁部１６２は、対向壁部１６１の上部に接続されている。上壁部１６２は、上記被覆状態において、供給トレイ１４４および排出トレイ１４５の上方を覆う。上壁部１６２は、上記被覆状態において、蓋部１６０の上部を構成する。上壁部１６２の上面は、平坦である。上記被覆状態においては、上壁部１６２の上面は、水平面に対して略平行となる。
【０１１３】
これにより、被覆状態において、上壁部１６２の上面に、タブレット端末、携帯型端末装置、およびモバイルコンピュータ等の電子機器、ならびに、書類等を載置することができる。この場合には、画像形成装置１００の周囲に複数人を集め、載置された電子機器や書類を用いて打合せ等を実施することができる。
【０１１４】
上壁部１６２は、排出トレイ１４５における原稿の排出方向（左右方向）において、カバー体１４１が位置する側に向けて張り出す張出部１６２ａ（図１参照）を有する。張出部１６２ａは、被覆状態においてカバー体１４１に設けられた載置部に載置される。当該載置部は、カバー体１４１の上面の一部が下方に後退することによって形成される。
【０１１５】
張出部１６２ａが上記載置部に載置された状態においては、上壁部１６２の上面は、カバー体１４１の搬送カバー部１４１４と同一平面状に位置する。
【０１１６】
これにより、上壁部１６２の上面と搬送カバー部１４１４の上面とを広く利用することができ、タブレット端末、携帯型端末装置、およびモバイルコンピュータ等の電子機器、ならびに、書類等をより安定的に配置できる。また、載置できるスペースが広くなることにより、より多くの人を画像形成装置１００の周囲に集めることができ、多数の人数で打合せ等を実施することも可能となる。
【０１１７】
側壁部１６３は、上記被覆状態において、上記排出方向においてカバー体１４１から遠い側に位置する供給トレイ１４４の端部および排出トレイ１４５の端部に対向する。すなわち、側壁部１６３は、上記被覆状態において、供給トレイ１４４の左端部および排出トレイ１４５の左端部に対向する。側壁部１６３は、蓋部１６０の左側部分を構成する。側壁部１６３の上部は、上壁部１６２に接続されている。
【０１１８】
取付部１６４は、蓋部１６０の後部を構成する。また、取付部１６４は、カバー体１４１の第１カバー部１４１１の一部を構成する。より具体的には、取付部１６４は、第１カバー部１４１１の左側部分を構成する。
【０１１９】
取付部１６４は、原稿読取台１３１の一端部側に位置する原稿搬送装置１４０の端部に回動可能に取付けられている。具体的には、取付部１６４は、原稿搬送装置１４０の後部に回動可能に取付けられている。
【０１２０】
取付部１６４は、上記第１方向に平行な回動軸回りに回動可能に取付けられている。取付部１６４が、上記回動軸回りに回動することにより、蓋部１６０が、原稿搬送装置１４０に対して回動する。これにより、蓋部１６０は、供給トレイ１４４および排出トレイ１４５が覆われた被覆状態と、供給トレイ１４４および排出トレイ１４５が覆われていない非被覆状態とに切替可能となる。
【０１２１】
以上のように構成される場合であっても、実施の形態２に係る画像読取装置１２０Ａおよび画像形成装置は、実施の形態１に係る画像読取装置１２０および画像形成装置１００とほぼ同様の効果が得られる。
【０１２２】
加えて、カバー体１４１が上記の構成を有する蓋部１６０を含むことにより、被覆状態において、供給トレイ１４４および排出トレイ１４５が配置される空間が蓋部１６０によって覆われる。これにより、塵埃等の異物が、原稿搬送装置１４０の内部（より特定的には、搬送カバー部１４１４の内部）に進入することを抑制することができる。
【０１２３】
また、蓋部１６０を上方側に回動させて非被覆状態とした場合には、上記排出方向においてカバー体１４１から遠い側に位置する供給トレイ１４４の端部側および排出トレイ１４５の端部側のみならず、原稿読取台１３１の一端部側とは反対側の他端部側に位置する供給トレイ１４４の端部側および排出トレイ１４５の端部側からも、使用者が、供給トレイ１４４および排出トレイ１４５にアクセスすることができる。
【０１２４】
これにより、供給トレイ１４４への原稿の載置および排出トレイ１４５から原稿の取り出しを容易に行なうことができ、利便性が向上する。
【０１２５】
（実施の形態３）
図１２は、実施の形態３に係る画像形成装置に具備される画像読取装置におけるヒンジ部の周囲の構造を示す断面図である。図１２を参照して、実施の形態３に係る画像形成装置について説明する。
【０１２６】
図１２に示すように、実施の形態３に係る画像形成装置は、実施の形態１に係る画像形成装置１００と比較して、画像読取装置１２０Ｂの構成が相違する。その他の構成については、ほぼ同様である。
【０１２７】
実施の形態３に係る画像読取装置１２０Ｂは、実施の形態１に係る画像読取装置１２０と比較した場合に、ヒンジ部１５０Ｂの構成が相違する。その他の構成については、ほぼ同様である。
【０１２８】
ヒンジ部１５０Ｂは、原稿読取台１３１に固定される固定部１５１と、原稿搬送装置１４０を保持する保持部１５３と、先端および基端を有し、かつ、固定部１５１および保持部１５３を連結する連結アーム部１５２と、を含む。
【０１２９】
連結アーム部１５２の基端側は、第１回動軸Ｓ１回りに回動可能に固定部１５１に取り付けられている。保持部１５３は、第１回動軸Ｓ１に平行な第３回動軸Ｓ３回りに回動可能に連結アーム部１５２の先端側に取り付けられている。
【０１３０】
図１２においては、連結アーム部１５２が回動した場合であっても、原稿搬送装置１４０は原稿読取面に対して平行な状態となっている。原稿搬送装置１４０は、実施の形態１に係る原稿搬送装置１４０の閉状態における高さ位置に対して、ｈ１だけ高い位置に位置している。
【０１３１】
図１３は、実施の形態３に係るヒンジ部の第１状態を示す図である。図１４は、実施の形態３に係るヒンジ部の第２状態を示す図である。図１３および図１４を参照して、ヒンジ部１５０Ｂの動作について説明する。
【０１３２】
図１３においては、ヒンジ部１５０Ｂの第１状態として、原稿搬送装置１４０が閉状態である場合のヒンジ部１５０Ｂの状態を示している。ヒンジ部１５０Ｂの第１状態にあっては、ヒンジ部１５０の保持部１５３および連結アーム部１５２は、原稿読取面に平行に配置されている。これにより、原稿押え部１４６が原稿読取面に近接して平行に配置される。
【０１３３】
図１４においては、ヒンジ部１５０Ｂの第２状態として、原稿搬送装置１４０が開状態であり、かつ、原稿搬送装置１４０が原稿読取面に平行に配置されている状態を示している。ヒンジ部１５０Ｂの第２状態にあっては、連結アーム部１５２の先端側が原稿読取台１３１から離れるように、連結アーム部１５２は、第１回動軸回りに回動している。
【０１３４】
また、保持部１５３は、原稿読取面に平行となるように、連結アーム部１５２の先端側に位置する第３回動軸Ｓ３回りに回動している。これにより、原稿搬送装置１４０は、原稿読取台１３１に対して平行となる。このように、保持部１５３を連結アーム部１５２に対して第３回動軸Ｓ３回りに回動可能に構成することにより、原稿の厚さに応じて、原稿搬送装置１４０の高さ位置を変更することができる。
【０１３５】
以上のように構成される場合であっても、実施の形態３に係る画像読取装置１２０Ｂおよび画像形成装置は、実施の形態１に係る画像読取装置１２０および画像形成装置１００とほぼ同様の効果が得られる。
【０１３６】
加えて、ヒンジ部１５０Ｂが上記のように構成されることにより、上述のように、原稿の厚さに応じて原稿搬送装置１４０の高さ位置を変更することができる。
【０１３７】
（実施の形態４）
図１５は、実施の形態４に係る画像形成装置において原稿搬送装置が閉じた状態を示す概略図である。図１５を参照して、実施の形態４に係る画像形成装置について説明する。
【０１３８】
図１５に示すように、実施の形態４に係る画像形成装置は、実施の形態１に係る画像形成装置１００と比較した場合に、画像読取装置１２０Ｃの構成が相違する。その他の構成については、ほぼ同様である。
【０１３９】
実施の形態４に係る画像読取装置１２０Ｃは、実施の形態１に係る画像読取装置１２０と比較した場合に、第２カバー部１４１２を回動させるための構成が相違する。その他の構成については、ほぼ同様である。
【０１４０】
画像読取装置１２０Ｃは、第２カバー部１４１２を回動させるための回動機構１７０を有する。回動機構１７０は、第１押圧部材１７１、第２押圧部材１７２、支持部１７３を有する。
【０１４１】
第１押圧部材１７１は、第２カバー部１４１２を押圧可能に設けられている。第１押圧部材１７１は、第１回動軸Ｓ１と平行な第４回動軸Ｓ４回りに回動可能に設けられている。第１押圧部材１７１の下端側は、回動可能に支持部１７３に支持されている。第１押圧部材１７１の上端は、第２カバー部１４１２の内側表面１４１２ａに当接している。
【０１４２】
第２押圧部材１７２は、第１押圧部材１７１を押圧可能に構成されている。第２押圧部材１７２は、たとえば撓み変形可能に構成されている。第２押圧部材１７２の上端は、ヒンジ部１５０の保持部１５３の上部に固定されている。第２押圧部材１７２の下端は、第１押圧部材１７１の途中部に固定されている。支持部１７３は、たとえば原稿読取台１３１の上面に固定されている。
【０１４３】
原稿搬送装置１４０が閉じた閉状態においては、ヒンジ部１５０の保持部１５３および連結アーム部１５２は、原稿読取面に平行に配置されている。これにより、原稿押え部１４６が原稿読取面に近接して平行に配置される。
【０１４４】
第２カバー部１４１２の外側表面１４１２ｂは、原稿読取台１３１の一端部（後端部）の側面と同一平面状に位置している。
【０１４５】
図１６は、実施の形態４に係る画像形成装置において原稿搬送装置が閉じた状態から開いた状態となるように原稿搬送装置を回動させている状態の第１状態を示す概略図である。図１７は、実施の形態４に係る画像形成装置において原稿搬送装置が閉じた状態から開いた状態となるように原稿搬送装置を回動させている状態の第２状態を示す概略図である。
【０１４６】
図１６に示すように、原稿搬送装置が閉じた状態から開いた状態となるように原稿搬送装置を回動させている状態の第１状態においては、ヒンジ部１５０の連結アーム部１５２が第１回動軸Ｓ１回りに回動することにより、連結アーム部１５２に固定された保持部１５３が同様に回動する。これにより、原稿押え部１４６の前部側が原稿読取面から離間するように回動する。
【０１４７】
原稿押え部１４６が回動することにより、原稿搬送装置１４０も回動する。この際、原稿搬送装置１４０の一端部側（後端部側）は、原稿読取面に近づくように回動する。これにより、第２カバー部１４１２も原稿読取面に近づくように移動する。
【０１４８】
この際、保持部１５３が回動することにより、第２押圧部材１７２が下方側に向けて第１押圧部材１７１を押圧する。これにより、第１押圧部材１７１は、当該第１押圧部材１７１の上端側が、原稿読取台１３１の一端部側（後端部側）に向かうように、第４回動軸Ｓ４回りに回動する。
【０１４９】
これにより、第１押圧部材１７１が第２カバー部１４１２を後方側に向けて押圧し、第２カバー部１４１２が後方に向かうように上記第２回動軸Ｓ２回りに回動する。すなわち、第２カバー部１４１２の下端が原稿読取台１３１の一端部（後端部）の外側に向けて回動する。
【０１５０】
図１７に示すように、原稿搬送装置１４０が閉じた状態から開いた状態となるように原稿搬送装置１４０を回動させている状態の第２状態においては、第１状態よりも、ヒンジ部１５０の連結アーム部１５２および保持部１５３の回動角が大きくなっている。
【０１５１】
同様に、第１押圧部材１７１の回動角も第１状態よりも大きくなり、これにより、第２カバー部１４１２の回動角も大きくなる。この状態にあっては、第２カバー部１４１２の下端は、原稿読取台１３１の一端部の外側に位置している。
【０１５２】
このように、実施の形態２においても、第２カバー部１４１２は、閉状態から開状態となるように原稿搬送装置１４０を回動させる際に、原稿搬送装置１４０の回動動作に連動して、第２カバー部１４１２の下端が原稿読取台１３１の一端部の外側に向けて回動するように構成されている。
【０１５３】
以上のように構成されることにより、実施の形態４に係る画像読取装置１２０Ｃおよび画像形成装置は、実施の形態１に係る画像読取装置１２０および画像形成装置１００とほぼ同様の効果が得られる。
【０１５４】
なお、実施の形態４においては、第２押圧部材１７２の上端がヒンジ部１５０の保持部１５３に固定され、第２押圧部材１７２の下端が第１押圧部材１７１の途中部に固定される場合を例示して説明したが、このような態様に限定されない。閉状態から開状態となるように原稿搬送装置１４０を回動させる際に、当該原稿搬送装置の回動動作に応じて、第１押圧部材１７１を第２カバー部１４１２側に向けて押圧可能に構成されていればよい。たとえば、第２押圧部材１７２は、第１カバー部１４１１に固定されていてもよい。
【０１５５】
上述の実施の形態１から３においては、被摺動部１５１３がヒンジ部１５０の一部によって構成されている場合を例示して説明したが、これに限定されず、ヒンジ部１５０とは別部材であってもよい。この場合には、原稿搬送装置１４０の閉状態から開状態への回動動作の際に第２カバー部１４１２の下端が原稿読取台１３１の一端部の外側に向けて回動するように第２カバー部１４１２の回動を案内できる限り、被摺動部１５１３は、画像読取部１３０の一部として原稿読取台１３１に固定されていてもよい。
【０１５６】
上述の実施の形態１から４においては、ヒンジ部１５０が２つの場合を例示して説明したが、これに限定されず１つであってもよいし、３つ以上であってもよい。１つのヒンジ部１５０が設けられる場合には、ヒンジ部１５０は、たとえば、原稿読取台１３１の一端部側の略中央に固定される。この場合には、ヒンジ部１５０の数に応じて、１つの第２カバー部１４１２が設けられる。一方、ヒンジ部１５０が複数ある場合には、第２カバー部１４１２は、ヒンジ部１５０の個数に応じて複数の第２カバー部１４１２が設けられていてもよいし、これら複数のヒンジ部１５０の全てを原稿読取台１３１の一端部側から覆うように単数の第２カバー部１４１２が設けられていてもよい。このように、実施の形態１から４に係る画像読取装置および画像形成装置においては、少なくとも１つ以上のヒンジ部が設けられるとともに、少なくとも１つ以上の第２カバー部が設けられている。
【０１５７】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【０１５８】
１Ｃ，１Ｋ，１Ｍ，１Ｙ  画像形成ユニット、１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３７  カセット、３８  従動ローラー、３９  駆動ローラー、４０  タイミングローラー、４１  搬送経路、４８  トレイ、５０  定着装置、６０  制御部、９０  クリーニング装置、９１  転写ベルトクリーナー、９２  廃トナーボックス、１００  画像形成装置、１１０  画像形成部、１１１  操作パネル、１２０，１２０Ａ，１２０Ｂ，１２０Ｃ，１２０Ｄ，１２０Ｘ  画像読取装置、１３０  画像読取部、１３１  原稿読取台、１３２，１３３  原稿読取領域、１４０  原稿搬送装置、１４１  カバー体、１４２  搬送経路、１４３  搬送ローラー、１４４  供給トレイ、１４５  排出トレイ、１４６  原稿押え部、１５０，１５０Ｂ  ヒンジ部、１５１  固定部、１５２  連結アーム部、１５３  保持部、１６０  蓋部、１６１  対向壁部、１６２  上壁部、１６２ａ  張出部、１６３  側壁部、１６４  取付部、１７０  回動機構、１７１  第１押圧部材、１７２  第２押圧部材、１７３  支持部、１４１１  第１カバー部、１４１２  第２カバー部、１４１２ａ  内側表面、１４１２ｂ  外側表面、１４１２ｃ  突出部、１４１２ｃ１  第１摺動面、１４１２ｃ２  第２摺動面、１４１３  第３カバー部、１４１４  搬送カバー部、１５１１  土台部、１５１２  立ち上がり部、１５１３  被摺動部。
【図１】
2018129580.tif 000003
【図２】
2018129580.tif 000004
【図３】
2018129580.tif 000005
【図４】
2018129580.tif 000006
【図５】
2018129580.tif 000007
【図６】
2018129580.tif 000008
【図７】
2018129580.tif 000009
【図８】
2018129580.tif 000010
【図９】
2018129580.tif 000011
【図１０】
2018129580.tif 000012
【図１１】
2018129580.tif 000013
【図１２】
2018129580.tif 000014
【図１３】
2018129580.tif 000015
【図１４】
2018129580.tif 000016
【図１５】
2018129580.tif 000017
【図１６】
2018129580.tif 000018
【図１７】
2018129580.tif 000019